(57)【特許請求の範囲】
【請求項１】
外箱と、
前記外箱内に弾性的に支持されて設けられた水槽と、
前記水槽の下部に設けられ洗濯機モータを含んで構成される駆動機構部と、
前記外箱の下部に設けられ前記洗濯機モータの駆動回路を有する電子ユニットと、
前記駆動機構部と前記電子ユニットとを電気的に接続するリード線と、
前記外箱内で前記リード線を保持する保持手段とを具備し、
前記リード線は、前記保持手段により、前記駆動機構部から引出されて下方に垂れ下がった後、上方に向けて無負荷状態の前記水槽の底部よりも高い位置まで延び、その後湾曲状に折返されて下方に延びた後、前記電子ユニットに接続されるように構成されていることを特徴とする洗濯機。
【請求項２】
前記保持手段は、前記外箱内に取付けられ、前記リード線を保持するホルダ部を１箇所又は複数箇所に有する保持部材からなることを特徴とする請求項１記載の洗濯機。
【請求項３】
前記保持部材は、前記リード線のうち、前記上方に向けて延びる部分と、折返されて下方に延びる部分とを隔てる仕切壁を有していることを特徴とする請求項２記載の洗濯機。
【請求項４】
前記ホルダ部は、前記リード線のうち、前記上方に向けて延びる部分と、折返されて下方に延びる部分とを夫々保持する位置に設けられていることを特徴とする請求項２又は３記載の洗濯機。
【請求項５】
前記保持部材は、前記ホルダ部の下側に位置して前記リード線との接触を逃げるための逃げ部を有していることを特徴とする請求項２から４のいずれか一項に記載の洗濯機。
【請求項６】
前記保持部材は、前記リード線のうち、前記上方に向けて延びる部分と、折返されて下方に延びる部分との少なくとも一方について、該リード線部分を下方に行くほど該保持部材から離れるようにガイドするガイド部を有していることを特徴とする請求項２から５のいずれか一項に記載の洗濯機。
【請求項７】
前記保持部材の下端部には、前記ホルダ部の下方に位置して、前記外箱の底部に配置された台板の上面を覆う受け板部を有していることを特徴とする請求項２から６のいずれか一項に記載の洗濯機。
【発明の詳細な説明】
【技術分野】
【０００１】
本発明の実施形態は、洗濯機に関する。
【背景技術】
【０００２】
洗濯機、いわゆる縦軸型の全自動洗濯機は、外箱内に、水槽が弾性吊持機構を介して支持され、水槽内に、回転槽を備えている。回転槽の内底部には、パルセータが設けられている。水槽の外底部には、洗濯機モータやクラッチ機構などを備えた駆動機構部が設けられ、この駆動機構部により、回転槽やパルセータが回転駆動されるようになっている。この種の洗濯機においては、前記駆動機構部（洗濯機モータ）を駆動する電子ユニットを、外箱内の背面側下部に設けて、冷却性能を高めるようにしたものが知られている（例えば特許文献１参照）。
【先行技術文献】
【特許文献】
【０００３】
【特許文献１】特開２０１３−２４４１８５号公報
【発明の概要】
【発明が解決しようとする課題】
【０００４】
上記のような、電子ユニットを外箱内の背面側下部に配設したものにあっては、駆動機構部と電子ユニットとの間を電気的に接続するリード線（渡り線）を、比較的短い長さで済ませることができる利点がある。しかし、運転時に、駆動機構部が水槽と共に揺動（振動）する事情があるため、前記リード線に対し引張りや屈曲等の負荷がかかり易く、また、リード線が台板などの金属部分と擦れたりして、傷付き、ひいては断線の虞もある。
【０００５】
そこで、外箱の下部に電子ユニットを配設したものにあって、リード線の効果的な保護を図ることができる洗濯機を提供する。
【課題を解決するための手段】
【０００６】
実施形態の洗濯機は、外箱と、前記外箱内に弾性的に支持されて設けられた水槽と、前記水槽の下部に設けられ洗濯機モータを含んで構成される駆動機構部と、前記外箱の下部に設けられ前記洗濯機モータの駆動回路を有する電子ユニットと、前記駆動機構部と前記電子ユニットとを電気的に接続するリード線と、前記外箱内で前記リード線を保持する保持手段とを具備し、前記リード線は、前記保持手段により、前記駆動機構部から引出されて下方に垂れ下がった後、上方に向けて無負荷状態の前記水槽の底部よりも高い位置まで延び、その後湾曲状に折返されて下方に延びた後、前記電子ユニットに接続されるように構成されているところに特徴を有する。
【図面の簡単な説明】
【０００７】
【図１】第１の実施形態を示すもので、洗濯機の全体構成を概略的に示す縦断右側面図
【図２】水槽、リード線と保持部材との位置関係を示す概略的縦断面図
【図３】保持部材の斜視図
【図４】リード線を保持部材を用いて外箱に組付けた様子を示す斜視図
【図５】第２の実施形態を示す図４相当図
【発明を実施するための形態】
【０００８】
（１）第１の実施形態
以下、縦軸形の全自動洗濯機に適用した第１の実施形態について、図１から図４を参照しながら説明する。まず、図１は、本実施形態に係る洗濯機（全自動洗濯機）１の構成を概略的に示している。ここで、洗濯機１は、例えば鋼板からなり全体として矩形状をなす外箱２を備えている。この外箱２の底部には、４個の脚部３を有する台板４が設けられている。また、外箱２の背面板は、矩形枠状に構成され、その内側に点検用の開口部２ａが形成されている。この開口部２ａは、蓋板５により塞がれるようになっている。
【０００９】
前記外箱２内には、図２にも一部示すように、洗濯水を溜める水槽６が、弾性吊持機構７（図１参照）により弾性的に支持（吊り下げ支持）されて設けられている。図１に一部のみ示すように、前記弾性吊持機構７は、例えば前記外箱２の四隅部に設けられた４本の吊り棒７ａ、各吊り棒７ａの下端部に配置されたスプリング７ｂ等を有した周知構成を備えている。前記水槽６の底部には、排水口８が形成されており、この排水口８には、電子制御式の排水弁９を備えた排水路１０が接続されている。
【００１０】
前記水槽６内には、ほぼ有底円筒状をなす縦軸型の回転槽１１が回転可能に設けられている。この回転槽１１の上端部には、例えば液体封入形の回転バランサ１２が取付けられている。また、この回転槽１１の周壁部には、脱水孔１１ａが形成されている。この回転槽１１の内底部には、撹拌体（パルセータ）１３が配設されている。回転槽１１内には、図示しない洗濯物が収容されるようになっており、その洗濯物の洗い、すすぎ、脱水、乾燥が行われる。
【００１１】
前記水槽６の上部には、水槽カバー１４が装着されている。この水槽カバー１４には、ほぼ中央部に洗濯物出し入れ用の開口部１４ａが設けられていると共に、その開口部１４ａを開閉する内蓋１５が取付けられている。水槽カバー１４の上面における後部には、給水用の給水口１６が設けられていると共に、図示はしないが、温風供給装置から供給される温風を水槽６内に供給する温風吹出口等が設けられている。
【００１２】
また、図２にも示すように、前記水槽６の下部（外底部）には、駆動機構部１７が配設されている。詳しい説明は省略するが、図１に一部示すように、この駆動機構部１７は、アウタロータ形のＤＣ三相ブラシレスモータからなる洗濯機モータ、中空の槽軸１８、該槽軸１８を貫通する撹拌軸１９、前記洗濯機モータの回転駆動力をそれら軸１８，１９に選択的に伝達するクラッチ機構等を備えている。前記槽軸１８の上端には、前記回転槽１１が連結されており、前記撹拌軸１９の上端には、前記撹拌体１３が連結されている。
【００１３】
前記クラッチ機構は、前記排水弁９に連動して動作し、洗い時及びすすぎ時（洗い行程）には回転槽１１の固定（停止）状態で、洗濯機モータの駆動力を撹拌軸１９を介して撹拌体１３に伝達して撹拌体１３を低速で直接正逆回転駆動する。また、脱水時（脱水行程）には、槽軸１８と撹拌軸１９との連結状態で、洗濯機モータの駆動力を槽軸１８を介して回転槽１１に伝達し、回転槽１１（及び撹拌体１３）を一方向に高速で直接回転駆動するようになっている。尚、駆動機構部１７には、上記以外にも、排水弁９駆動用のモータ、洗濯機モータの各相の電流を検出する電流センサ、洗濯機モータのロータの回転位置を検出するセンサ、クラッチの位置を検出するセンサ等の電装品が配設されている。
【００１４】
一方、図１に示すように、前記外箱２の上部には薄形の中空箱状をなす合成樹脂製のトップカバー２０が装着されている。このトップカバー２０の上面中央には、前記回転槽１１の上方に位置して、ほぼ円形の洗濯物出入口２０ａが形成され、その洗濯物出入口２０ａを開閉するための二つ折りタイプの蓋２１が設けられている。このトップカバー１０の前部上面部には、ユーザが洗濯運転のコースの選択や、運転開始を指示するための操作パネル２２が設けられている。更に、操作パネル２２の裏面側には、コンピュータを含んで構成され操作パネル２２の操作信号の処理や表示制御などを行う操作ユニット２３が設けられている。
【００１５】
このトップカバー２０の後部には、水槽６内への給水を行うための給水機構２４が設けられている。給水機構２４は、給水弁２５、注水ケース２６と、可撓性を有する給水ホース２７を備えており、給水ホース２７の先端部が前記給水口１６に接続されている。給水弁２５は給水受け口２５ａを備えていて、その給水受け口２５ａには、図示しない水道の蛇口に接続された接続ホースの先端部が接続される。給水弁２５が開放されると、水道から供給される水が、注水ケース２６及び給水ホース２７を介して給水口１６から回転槽１１内及び水槽６内に供給される。尚、トップカバー２０の後部には、水槽６の異常な振動（揺動）を検知する安全レバースイッチ装置２８も設けられている。
【００１６】
そして、本実施形態では、外箱２内の背壁側の下部、この場合前記開口部２ａの下部に位置して、電子ユニット３０が設けられている。詳しく図示はしないが、この電子ユニット３０は、前後方向に薄型の横長矩形状をなすケース内に、電源回路、洗濯機モータ駆動用のインバータ回路、コンピュータを主体として構成され全体を制御する制御装置等を備えて構成されている。このとき、前記駆動機構部１７からは、通電線や信号線等が束になった形態のリード線３１（図２〜図４参照）が引出され、図示しないコネクタを介して電子ユニット３０に接続されるようになっている。
【００１７】
尚、図示はしないが、前記操作ユニット２３から引出された配線も、外箱２内のコーナー部等を下方に導かれて、前記リード線３１とは別径路で電子ユニット３０に接続される。詳しい説明は省略するが、前記電子ユニット３０内の制御装置は、操作パネル２２（操作ユニット２３）からの操作信号や各種センサからの信号に基づいて、給水弁２５や排水弁９を制御すると共に、インバータ回路を介して洗濯機モータを制御し、洗い（すすぎ）行程や脱水行程等からなる洗濯運転を実行する。更には、温風供給装置を制御して乾燥行程を実行するようになっている。
【００１８】
さて、外箱２内には、前記駆動機構部１７と電子ユニット３０とを電気的に接続するリード線３１を、所定の引き回し形状に保持するための保持手段が設けられる。本実施形態では、図２〜図４に示すように、外箱２内に保持部材３２を設けることにより、保持手段が構成され、リード線３１が所定の引き回し形状に保持される。図３は、前方右斜め上方から保持部材３２を見た斜視図であり、図４は、外箱２内の左後のコーナー部分の下部を見た斜視図である。
【００１９】
図２〜図４に示すように、前記リード線３１は、前記駆動機構部１７から引出されて下方に垂れ下がった後、上方に向けて延び、その後湾曲状に折返されて下方に延びた後、前記電子ユニット３０に接続される。従って、リード線３１は、基端側（駆動機構部１７側）から順に、引出し部３１ａ、上昇部３１ｂ、湾曲状折返し部３１ｃ、下降部３１ｄ、接続部３１ｅを連続的に有した形態とされる。接続部３１ｅの先端に図示しないコネクタが取付けられ、電子ユニット３０に接続される。また、リード線３１の外周の要所（複数箇所）には、クッション性を有する例えばゴム製の保護用テープ３３が巻装されている。
【００２０】
ここで、図２は、水槽６（駆動機構部１７）と、リード線３１と、保持部材３２との高さ位置関係を概略的に示しており、実線が、水槽６内の無負荷の状態、二点鎖線が、水槽６内に定格負荷（最大量の洗濯物及び最高水位までの水）が収容された場合の、水槽６及びリード線３１の様子（位置）を示している。このとき、リード線３１の湾曲状折返し部３１ｃは、無負荷状態の前記水槽６の底部よりも高い位置に位置されるように保持される。そして、水槽６内に定格負荷が収容されて水槽６が最低の位置まで下がった場合でも、リード線３１の引出し部３１ａは、下方に僅かに垂れ下がった状態に保持されるようになっている。
【００２１】
前記保持部材３２は、難燃性（例えばＵＬ９４規格で５ＶＡの等級）を有する合成樹脂材料、例えば難燃剤入りのＡＢＳ樹脂からなり、次の構成（部分）を一体に有している。即ち、図３に示すように、保持部材３２は、板面が前後方向を向き上下方向に長い主板部３４と、この主板部３４の左辺部の上下２箇所に位置して設けられた半円筒状保持部３５、３５と、主板部３４の下端部から前方に水平方向に延出する下板部３６と、主板部３４の上部左端部から前方に突出するバンド支持片３７とを一体に有して構成される。
【００２２】
図３に示すように、前記主板部３４には、前面の上部寄り部位に位置して、前方側に向けて下降傾斜する傾斜状のガイド部３４ａが設けられ、このガイド部３４ａの上部に位置して保持金具３８（図４参照）が取付けられるホルダ部としての取付部３９が設けられている。この取付部３９は、図で左側に位置するスリット部と、右側に位置するねじ止め穴とから構成されている。また、主板部３４の前面には、ガイド部３４ａの下側（中段下部）に位置して、後方に凹となる逃げ部３４ｂが設けられている。更に、主板部３４の後面側には、例えば３箇所に位置してねじ止め用のねじボス部３４ｃが設けられている。
【００２３】
前記半円筒状保持部３５、３５は、後面側が開放した半円筒状に構成され、リード線３１の下降部３１ｄを嵌合保持するホルダ部の一つとして機能する。本実施形態では、これら半円筒状保持部３５、３５が、リード線３１のうち上方に向けて延びる部分（上昇部３１ｂ）と、折返されて下方に延びる部分（下降部３１ｄ）とを隔てる仕切壁としても機能する。
【００２４】
そして、前記バンド支持片３７は、主板部３４の上部左端部から前方に延びた後、その前端から左方に折曲がる上面Ｌ字状に構成され、基端側部分及び先端の折曲げ部分との２箇所に位置して、後述する結束バンド４０（図４参照）の端部が挿入されて取付けられる支持孔３７ａ，３７ａを有している。これら支持孔３７ａ，３７ａ部分も、ホルダ部として機能する。
【００２５】
以上のように構成された保持部材３２に対し、リード線３１は次のように保持される。即ち、図３、図４に示すように、前記駆動機構部１７から引出されたリード線３１は、その上昇部３１ｂが主板部３４の前面側を上方に延びるように配置され、取付部３９に保持金具３８が取付けられることにより、上昇部３１ｂの上部寄り部分が、ガイド部３４ａと保持金具３８との間に挟持されるように保持される。
【００２６】
このとき、リード線３１（上昇部３１ｂ）のうちガイド部３４ａと保持金具３８との間に挟持される部分には、前記保護用テープ３３が巻装されている。また、リード線３１の上昇部３１ｂは、主板部３４のガイド部３４ａの傾斜により、下方に行くほど前方に、つまり主板部３４から離れるようにガイドされる。これと共に、主板部３４には、ガイド部３４ａの下側に逃げ部３４ｂが設けられているので、リード線３１の上昇部３１ｂと主板部３４の前面との接触が抑制される。
【００２７】
前記上昇部３１ｂの上端から連なるリード線３１の湾曲状折返し部３１ｃは、図４に示すように、２箇所に位置して、例えばロックタイと称される結束バンド４０により結束される。そして、それら各結束バンド４０が、前記バンド支持片３７の支持孔３７ａ，３７ａに挿入されて取付けられる。これにて、リード線３１の湾曲状折返し部３１ｃは、結束バンド４０及びバンド支持片３７により、外側に膨らむ円弧を描きながら左方やや手前側に折返されて下降部３１ｄに連なるように保持される。
【００２８】
湾曲状折返し部３１ｃから連なるリード線３１の下降部３１ｄは、半円筒状保持部３５、３５に対して後面側から嵌合保持されて保持部材３２の左辺部を下方に延びる。そして、下降部３１ｄから連なるリード線３１の接続部３１ｅは、下板部３６の下面側を通って右方に延びるように配置される。この場合、リード線３１の下降部３１ｄ及び接続部３１ｅは、半円筒状保持部３５、３５及び下板部３６によって、引出し部３１ａや上昇部３１ｂと隔てられ、接触することはない。
【００２９】
本実施形態では、保持部材３２に対し、駆動機構部１７から引出されたリード線３１が上記のように保持され、その状態で、保持部材３２が外箱２の背面板の内面のうち、開口部２ａのすぐ外側の左側下部に位置して取付けられる。詳しく図示はしないが、この取付けは、保持部材３２の３箇所のねじボス部３４ａに対して、外箱２の背面側からのねじ止めされることにより行われる。このとき、下板部３６は前記台板４のやや上方に位置され、リード線３１の接続部３１ｅがその間を通って引出され、電子ユニット３０に接続されるようになっている。これにより、保持部材３２及びリード線３１の組付けを容易にしている。
【００３０】
上記構成においては、水槽６の外底部に設けられた駆動機構部１７と、外箱２内の下部に設けられた電子ユニット３０とが、リード線３１により電気的に接続される。前記リード線３１は、比較的短い長さで済む。このとき、水槽６内の負荷（洗濯物や洗濯水の量）に応じて駆動機構部１７が上下に変位すると共に、洗濯運転時に水槽６と共に上下或いは横方向に振動（揺動）するため、それに伴いリード線３１に対し、引張りや屈曲などの、負荷がかかる虞がある。
【００３１】
ところが、本実施形態では、リード線３１は、保持部材３２により、駆動機構部１７から下方に垂れ下がった後、上方に向けて延びその後湾曲状に折返されるような引き回し形状となるように保持されている。これにより、リード線３１のうち、垂れ下がる部分（引出し部３１ａ）や湾曲状に折り返される部分（湾曲状折返し部３１ｃ）等で、リード線３１に作用する負荷を吸収することができる。従って、リード線３１が、リード線３１同士や、保持部材３２及び外箱２などの他の部分と擦れることを防止でき、リード線３１に対して作用する引張りや屈曲等の負荷を抑えることができる。
【００３２】
特に本実施形態では、リード線３１を所定の引き回し形状に保持するための保持手段として、外箱２内に取付けられる保持部材３２を設けるようにしたので、比較的簡単な構成で保持手段を構成することができ、また、組立作業も容易に済ませることができる。保持部材３２においては、リード線３１を保持するホルダ部が複数箇所に渡って設けられているので、リード線３１の所定の引き回し形状を確実に保持することができ、作業者によるリード線３１の組付け性の向上を図ることができる。
【００３３】
このとき、保持部材３２において、リード線３１のうち上昇部３１ｂと下降部３１ｄとを隔てる仕切壁を設けたので、リード線３１のうち、それら上昇部３１ｂと下降部３１ｄとの間での擦れを効果的に防止することができる。さらに本実施形態では、保持部材３２の主板部３４に、ガイド部３４ａを設けると共に、逃げ部３４ｂを設けるようにしたので、リード線３１と、保持部材３２との接触（擦れ）も抑制することができ、保護の面でより効果的となるものである。
【００３４】
このように本実施形態によれば、外箱２の下部に電子ユニット３０を配設し、駆動機構部１７と電子ユニット３０とをリード線３１により電気的に接続するようにしたものにあって、外箱２内に保持部材３２を設けて、リード線３１の所定の引き回し形状を得るように構成した。これにより、駆動機構部１７が上下に変位したり、横方向に振動（揺動）したりする事情があっても、リード線３１が他の部分と擦れることを防止できると共に、リード３１に対して作用する引張りや屈曲等の負荷を抑えることができる。この結果、外箱２の下部に電子ユニット３０を配設したものにあって、リード線３１の効果的な保護を図ることができるという優れた効果を得ることができる。
【００３５】
（２）第２の実施形態、その他の実施形態
図５は、第２の実施形態を示すものであり、以下、上記第１の実施形態と異なる点について述べる。この第２の実施形態においては、駆動機構部１７と電子ユニット３０とを電気的に接続するリード線４１は、やはり、駆動機構部１７から引出されて下方に垂れ下がった後、上方に向けて延び、その後湾曲状に折返されて下方に延びた後、電子ユニット３０に接続される。従って、リード線４１は、基端側（駆動機構部１７側）から順に、引出し部４１ａ、上昇部４１ｂ、湾曲状折返し部４１ｃ、下降部４１ｄ、接続部４１ｅを連続的に有した形態とされる。また、リード線４１の外周の要所には、保護用テープ３３が巻装されている。
【００３６】
この第２の実施形態では、前記リード線４１を外箱２内で保持する保持手段として、上記第１の実施形態の保持部材３２とは形状の異なる保持部材４２が用いられる。この保持部材４２は、やはり難燃性（例えばＵＬ９４規格で５ＶＡの等級）を有する合成樹脂材料、例えば難燃剤入りのＡＢＳ樹脂からなり、次の構成を一体に備えている。即ち、保持部材４２は、板面が前後方向を向き上下方向に長い主板部４３と、その主板部４２の左右の縁部から後方に折曲がる左右の側板部４４，４４とを有し、後面（及び上面）が開放した前後方向に薄型の箱状をなしている。
【００３７】
前記主板部４３の前面には、上部寄り部分に位置して、保持金具３８が取付けられ前記リード線４１の上昇部４１ｂを保持するホルダ部としての取付部４５が設けられている。また、図示は省略するが、主板部４３の裏面側にも、保持金具３８が取付けられ前記リード線４１の下降部４１ｄを保持するホルダ部としての取付部が設けられている。この主板部４３は、リード線４１の上昇部４１ｂと下降部４２ｄとを隔てる仕切壁としての機能も有している。
【００３８】
前記主板部４３の下部は、前方及び右側に次第に湾曲しながら膨らむような曲面状をなし、保持部材４２の下端部には、主板部４３の裏面側に連通し右側面で横長に開口する下部開口部４６が形成されている。下部開口部４６の下には水平な受け板部４７が一体に設けられている。この受け板部４７は、前記取付部（ホルダ部）の下方に位置して、外箱２の底部に配置された台板４の上面を覆うように構成されている。更に、本実施形態では、保持部材４２の右側には、側板部４４の後縁部から右側に延び、開口部２ａの左下コーナー部分のエッジを隠すＬ字状をなすように、リブ４８が一体に設けられている。
【００３９】
以上のように構成された保持部材４２に対し、駆動機構部１７から引出されたリード線４１は、引出し部４１ａが主板部４３の前面側まで延ばされ、上昇部４１ｂが主板部４３の前面側を上方に延び、その上部寄り部分（保護用テープ３３の巻装部分）が保持金具３８により保持される。湾曲状折返し部４１ｃは、保持部材４２の上部（無負荷状態の水槽６の底部よりも高い位置）に位置され、折返された下降部４１ｄは、保持部材４２の上面開口部から主板部４３の背面（裏面）側を通って下方に延びる。図示はしないが、下降部４１ｄの途中部が、主板部４３の裏面側において保持金具３８により保持される。
【００４０】
そして、下降部４１ｄから連なるリード線４１の接続部４１ｅは、保持部材４２の下端部で右方に折れ曲がり、下部開口部４６から右方に引出される。上記のようにリード線４１を保持した保持部材４２は、外箱２の背面板の内面のうち、開口部２ａのすぐ外側の左側下部に位置してねじ止めにより取付けられる。このとき、保持部材４２の下端の受け板部４７は、台板４の左後部のコーナー部分の上面を覆うように配置される。また、保持部材４２に一体に設けられたリブ４８が、外箱２の背面板のうち、開口部２ａを構成する左下のコーナー部のエッジ部を隠すように配置される。保持部材４２の組付け後、リード線４１の接続部４１ｅが、電子ユニット３０に接続される。
【００４１】
尚、詳しく図示はしないが、本実施例では、前記信号処理回路２３から導出された第２のリード線が、外箱２内の左後部のコーナー部を上方から下方に導かれ、保持部材４２の上面の開口部分から挿入される。そして、その第２のリード線は、先端側で、リード線４１の下降部４１ｄ及び接続部４１ｅと共に束ねられた状態とされ、下部開口部４６から引出されて電子ユニット３０に接続されるようになっている。
【００４２】
上記構成においては、上記第１の実施形態と同様に、リード線４１は、保持部材４２により、駆動機構部１７から下方に垂れ下がった後、上方に向けて延びその後湾曲状に折返されるような引き回し形状となるように保持されるので、水槽６の振動時等におけるリード線４１に作用する負荷を吸収することができる。これにより、リード線４１が、リード線４１同士や、保持部材４２及び外箱２などの他の部分と擦れることを防止でき、リード線４１に対して作用する引張りや屈曲等の負荷を抑えることができる。
【００４３】
特に本実施形態では、保持部材４２の下端部に、台板４の上面を覆う受け板部４７を一体に設けたので、リード線４１に、万一、断線やスパークが発生して可燃物に着火した場合でも、落下したその着火物を受け板部４７により受けることができ、着火物が台板４の下方への落下することを防止することができる。また、保持部材４２にリブ４８を一体に設けたので、外箱２の背面板のエッジ部とリード線４１とが擦れてリード線４１が傷付いたりすることも効果的に防止することができる。
【００４４】
このように本実施形態においても、外箱２の下部に電子ユニット３０を配設し、駆動機構部１７と電子ユニット３０とをリード線４１により電気的に接続するようにしたものにあって、外箱２内に保持部材４２を設けて、リード線４１の所定の引き回し形状を得るように構成したので、リード線４１の効果的な保護を図ることができるという優れた効果を得ることができる。
【００４５】
尚、上記各実施形態では、保持手段としての保持部材３２，４２を設けるように構成したが、保持手段全体を１個の保持部材から構成するのではなく、外箱内にリード線の複数箇所を保持する複数のホルダ部を別々に設ける構成とすることも可能である。また、水槽６の外底部に、洗濯機モータを一体化した駆動機構部１７に代えて、減速機構部と洗濯機モータとを別体に並べて設けて、洗濯機モータの駆動力をベルト伝達機構によって減速機構部に伝達する構成であっても良い。
【００４６】
更には、縦軸型の洗濯機に限らず、いわゆるドラム式の洗濯機に本発明を適用することも可能である。その他、洗濯機全体の具体的構成や、保持部材の形状や構造、ホルダ部の位置や保持形態などについても、様々な変形が可能であるなど、要旨を逸脱しない範囲内で適宜変更して実施し得るものである。
【符号の説明】
【００４７】
図面中、１は洗濯機、２は外箱、４は台板、６は水槽、１７は駆動機構部、３０は電子ユニット、３１，４１はリード線、３２，４２は保持部材（保持手段）、３３は保護用テープ、３４，４３は主板部、３４ａはガイド部、３４ｂは逃げ部、３５は半円筒状保持部、３７はバンド支持部、３８は保持金具、３９，４５は取付部、４０は結束バンド、４７は受け板部、４８はリブを示す。
【図１】
0006352712.tif 000002
【図２】
0006352712.tif 000003
【図３】
0006352712.tif 000004
【図４】
0006352712.tif 000005
【図５】
0006352712.tif 000006